【手続補正書】
【提出日】令和2年5月21日(2020.5.21)
【手続補正１】
【補正対象書類名】特許請求の範囲
【補正対象項目名】全文
【補正方法】変更
【補正の内容】
【特許請求の範囲】
【請求項１】
方法であって、
基地局（４０１）から、無線デバイス（４０６）によって、１つ以上のメッセージを受信することであって、前記１つ以上のメッセージは、
少なくとも１つの第１の論理チャネルに対応する、前記基地局の第１のスケジューリング要求（ＳＲ）リソースと、
少なくとも１つの第２の論理チャネルに対応する、前記基地局の第２のＳＲリソースと
を示す、ことと、
アップリンクリソースがトリガされたバッファステータスレポート（ＢＳＲ）の伝送のために利用可能でないことに応答して、ＳＲをトリガすることであって、前記トリガされたＢＳＲは、アップリンクデータが前記少なくとも１つの第１の論理チャネルまたは前記少なくとも１つの第２の論理チャネルのうちの一方に対して利用可能になることに応答している、ことと、
前記少なくとも１つの第１の論理チャネルおよび前記少なくとも１つの第２の論理チャネルのうちのどちらが前記ＢＳＲをトリガしたかに基づいて、前記第１のＳＲリソースおよび前記第２のＳＲリソースの間で選択することと、
前記選択されたＳＲリソースを介して、前記ＳＲを伝送することと、
１つ以上のトランスポートブロックの伝送のためのアップリンクグラントを受信することと
を含む、方法。
【請求項２】
前記１つ以上のメッセージは、
前記少なくとも１つの第１の論理チャネルの第１の構成パラメータであって、前記第１の構成パラメータは、前記第１のＳＲリソースに関連付けられている第１のＳＲ構成インデックスを示す、第１の構成パラメータと、
前記少なくとも１つの第２の論理チャネルの第２の構成パラメータであって、前記第２の構成パラメータは、前記第２のＳＲリソースに関連付けられている第２のＳＲ構成インデックスを示す、第２の構成パラメータと
を含む、請求項１に記載の方法。
【請求項３】
前記１つ以上のメッセージは、
１つ以上の第１のＳＲ禁止タイマ値と、１つ以上の第１のＳＲ伝送カウンタ値と、
１つ以上の第２のＳＲ禁止タイマ値と、１つ以上の第２のＳＲ伝送カウンタ値と
を含む、請求項１または請求項２に記載の方法。
【請求項４】
前記少なくとも１つの第１の論理チャネルは、第１の値までの１つ以上の第１の伝送持続時間に対応し、
前記少なくとも１つの第２の論理チャネルは、第２の値までの１つ以上の第２の伝送持続時間に対応し、
前記１つ以上の第１の伝送持続時間のうちの第１の伝送持続時間は、第１の伝送時間間隔における第１のトランスポートブロックの伝送のためのものである、請求項１〜３のうちのいずれかに記載の方法。
【請求項５】
無線デバイス（４０６）であって、
１つ以上のプロセッサと、
命令を格納するメモリと
を備え、
前記命令は、前記１つ以上のプロセッサによって実行されたときに、前記無線デバイスに、
基地局（４０１）から、１つ以上のメッセージを受信することであって、前記１つ以上のメッセージは、
少なくとも１つの第１の論理チャネルに対応する、前記基地局の第１のスケジューリング要求（ＳＲ）リソースと、
少なくとも１つの第２の論理チャネルに対応する、前記基地局の第２のＳＲリソースと
を示す、ことと、
アップリンクリソースがトリガされたバッファステータスレポート（ＢＳＲ）の伝送のために利用可能でないことに応答して、ＳＲをトリガすることであって、前記トリガされたＢＳＲは、アップリンクデータが前記少なくとも１つの第１の論理チャネルまたは前記少なくとも１つの第２の論理チャネルのうちの一方に対して利用可能になることに応答している、ことと、
前記少なくとも１つの第１の論理チャネルおよび前記少なくとも１つの第２の論理チャネルのうちのどちらが前記ＢＳＲをトリガしたかに基づいて、前記第１のＳＲリソースおよび前記第２のＳＲリソースの間で選択することと、
前記選択されたＳＲリソースを介して、前記ＳＲを伝送することと、
１つ以上のトランスポートブロックの伝送のためのアップリンクグラントを受信することと
を行わせる、無線デバイス。
【請求項６】
前記１つ以上のメッセージは、
前記少なくとも１つの第１の論理チャネルの第１の構成パラメータであって、前記第１の構成パラメータは、前記第１のＳＲリソースに関連付けられている第１のＳＲ構成インデックスを示す、第１の構成パラメータと、
前記少なくとも１つの第２の論理チャネルの第２の構成パラメータであって、前記第２の構成パラメータは、前記第２のＳＲリソースに関連付けられている第２のＳＲ構成インデックスを示す、第２の構成パラメータと
を含む、請求項５に記載の無線デバイス。
【請求項７】
前記１つ以上のメッセージは、
１つ以上の第１のＳＲ禁止タイマ値と、１つ以上の第１のＳＲ伝送カウンタ値と、
１つ以上の第２のＳＲ禁止タイマ値と、１つ以上の第２のＳＲ伝送カウンタ値と
を含む、請求項５または請求項６に記載の無線デバイス。
【請求項８】
前記少なくとも１つの第１の論理チャネルは、第１の値までの１つ以上の第１の伝送持続時間に対応し、
前記少なくとも１つの第２の論理チャネルは、第２の値までの１つ以上の第２の伝送持続時間に対応し、
前記１つ以上の第１の伝送持続時間のうちの第１の伝送持続時間は、第１の伝送時間間隔における第１のトランスポートブロックの伝送のためのものである、請求項５〜７のうちのいずれかに記載の無線デバイス。
【請求項９】
方法であって、
基地局（４０１）によって、無線デバイス（４０６）に１つ以上のメッセージを伝送することであって、前記１つ以上のメッセージは、
少なくとも１つの第１の論理チャネルに対応する、前記基地局の第１のスケジューリング要求（ＳＲ）リソースと、
少なくとも１つの第２の論理チャネルに対応する、前記基地局の第２のＳＲリソースと
を示す、ことと、
前記無線デバイスから、ＳＲリソースを介してＳＲを受信することであって、前記ＳＲリソースは、前記第１のＳＲリソースおよび前記第２のＳＲリソースのうちの一方である、ことと、
前記少なくとも１つの第１の論理チャネルおよび前記少なくとも１つの第２の論理チャネルのうちのどちらが前記ＳＲリソースに対応するかに基づいて、１つ以上のトランスポートブロックの伝送のためのアップリンクグラントを判定することと、
前記アップリンクグラントを前記無線デバイスに伝送することと
を含む、方法。
【請求項１０】
前記１つ以上のメッセージは、
前記少なくとも１つの第１の論理チャネルの第１の構成パラメータであって、前記第１の構成パラメータは、前記第１のＳＲリソースに関連付けられている第１のＳＲ構成インデックスを示す、第１の構成パラメータと、
前記少なくとも１つの第２の論理チャネルの第２の構成パラメータであって、前記第２の構成パラメータは、前記第２のＳＲリソースに関連付けられている第２のＳＲ構成インデックスを示す、第２の構成パラメータと
を含む、請求項９に記載の方法。
【請求項１１】
前記１つ以上のメッセージは、
１つ以上の第１のＳＲ禁止タイマ値と、１つ以上の第１のＳＲ伝送カウンタ値と、
１つ以上の第２のＳＲ禁止タイマ値と、１つ以上の第２のＳＲ伝送カウンタ値と
を含む、請求項９または請求項１０に記載の方法。
【請求項１２】
前記少なくとも１つの第１の論理チャネルは、第１の値までの１つ以上の第１の伝送持続時間に対応し、
前記少なくとも１つの第２の論理チャネルは、第２の値までの１つ以上の第２の伝送持続時間に対応し、
前記１つ以上の第１の伝送持続時間のうちの第１の伝送持続時間は、第１の伝送時間間隔における第１のトランスポートブロックの伝送のためのものである、請求項９〜１１のうちのいずれかに記載の方法。
【請求項１３】
基地局（４０１）であって、
１つ以上のプロセッサと、
命令を格納するメモリと
を備え、
前記命令は、前記１つ以上のプロセッサによって実行されたときに、前記基地局に、
無線デバイス（４０６）に１つ以上のメッセージを伝送することであって、前記１つ以上のメッセージは、
少なくとも１つの第１の論理チャネルに対応する、前記基地局の第１のスケジューリング要求（ＳＲ）リソースと、
少なくとも１つの第２の論理チャネルに対応する、前記基地局の第２のＳＲリソースと
を示す、ことと、
前記無線デバイスから、ＳＲリソースを介してＳＲを受信することであって、前記ＳＲリソースは、前記第１のＳＲリソースおよび前記第２のＳＲリソースのうちの一方である、ことと、
前記少なくとも１つの第１の論理チャネルおよび前記少なくとも１つの第２の論理チャネルのうちのどちらが前記ＳＲリソースに対応するかに基づいて、１つ以上のトランスポートブロックの伝送のためのアップリンクグラントを判定することと、
前記アップリンクグラントを前記無線デバイスに伝送することと
を行わせる、基地局。
【請求項１４】
前記１つ以上のメッセージは、
前記少なくとも１つの第１の論理チャネルの第１の構成パラメータであって、前記第１の構成パラメータは、前記第１のＳＲリソースに関連付けられている第１のＳＲ構成インデックスを示す、第１の構成パラメータと、
前記少なくとも１つの第２の論理チャネルの第２の構成パラメータであって、前記第２の構成パラメータは、前記第２のＳＲリソースに関連付けられている第２のＳＲ構成インデックスを示す、第２の構成パラメータと
を含む、請求項１３に記載の基地局。
【請求項１５】
前記１つ以上のメッセージは、
１つ以上の第１のＳＲ禁止タイマ値と、１つ以上の第１のＳＲ伝送カウンタ値と、
１つ以上の第２のＳＲ禁止タイマ値と、１つ以上の第２のＳＲ伝送カウンタ値と
を含む、請求項１３または請求項１４に記載の基地局。
【手続補正２】
【補正対象書類名】明細書
【補正対象項目名】０００２
【補正方法】変更
【補正の内容】
【０００２】
本発明の例示的な実施形態は、キャリアアグリゲーションの動作を可能にする。ここに開示する技術の複数の実施形態を、マルチキャリア通信システムの技術分野において用いることが可能である。より具体的には、本明細書に開示された技術の実施形態は、マルチキャリア通信システムにおけるスケジューリング要求に関し得る。
本発明は、例えば、以下を提供する。
（項目１）
方法であって、
基地局から、無線デバイスによって、１つ以上のメッセージを受信することであって、前記１つ以上のメッセージが、
第１の論理チャネルに対応する、前記基地局の第１のスケジューリング要求（ＳＲ）リソースであって、前記第１の論理チャネルが、第１の値に至るまで１つ以上の第１の伝送持続時間に対応する、第１のスケジューリング要求（ＳＲ）リソースと、
第２の論理チャネルに対応する、前記基地局の第２のＳＲリソースであって、前記第２の論理チャネルが、第２の値に至るまで１つ以上の第２の伝送持続時間に対応する、第２のＳＲリソースと、を示す、受信することと、
アップリンクリソースがトリガされたバッファステータスレポート（ＢＳＲ）の伝送のためには利用可能ではないことに応答して、ＳＲをトリガすることであって、前記トリガされたＢＳＲは、アップリンクデータが前記第１の論理チャネルまたは前記第２の論理チャネルのうちの一方に対して利用可能になることに応答している、トリガすることと、
前記基地局に、前記ＢＳＲをトリガした論理チャネルに対応するＳＲリソースを介して、前記ＳＲを伝送することであって、前記ＳＲリソースが、
前記第１の論理チャネルに対応する前記第１のＳＲリソース、または
前記第２の論理チャネルに対応する前記第２のＳＲリソース、のうちの一方である、伝送することと、
前記基地局から、前記ＳＲを伝送することに応答して、前記第１の論理チャネルまたは前記第２の論理チャネルのうちの前記一方に対応する伝送持続時間内における１つ以上のトランスポートブロックの伝送のためのアップリンクグラントを受信することと、を含む、方法。
（項目２）
前記アップリンクグラントに応答して、前記ＢＳＲを含む前記１つ以上のトランスポートブロックを伝送することをさらに含む、項目１に記載の方法。
（項目３）
前記１つ以上のトランスポートブロックが、物理アップリンク共有チャネルを介して伝送される、項目１または２に記載の方法。
（項目４）
前記ＳＲを前記伝送することは、前記トリガされたＢＳＲが、アップリンクデータが前記第１の論理チャネルに対して利用可能になることに応答しているときに、前記第１のＳＲリソースを介しており、
前記ＳＲを前記伝送することは、前記トリガされたＢＳＲが、アップリンクデータが前記第２の論理チャネルに対して利用可能になることに応答しているときに、前記第２のＳＲリソースを介している、項目１〜３のうちのいずれか一項に記載の方法。
（項目５）
前記第１の論理チャネルおよび前記第２の論理チャネルが、同じ基地局へのデータ伝送のためである、項目１〜４のうちのいずれか一項に記載の方法。
（項目６）
前記１つ以上のメッセージが、
前記第１のＳＲリソースに対応する第１のＳＲ構成のための第１のＳＲ構成インデックスと、
前記第２のＳＲリソースに対応する第２のＳＲ構成のための第２のＳＲ構成インデックスと、を示す、項目１または５のうちのいずれか一項に記載の方法。
（項目７）
前記第１のＳＲ構成が、１つ以上の第１のＳＲ禁止タイマ値と、１つ以上の第１のＳＲ伝送カウンタ値と、を示し、
前記第２のＳＲ構成が、１つ以上の第２のＳＲ禁止タイマ値と、１つ以上の第２のＳＲ伝送カウンタ値と、を示す、項目１〜６のうちのいずれか一項に記載の方法。
（項目８）
前記１つ以上のメッセージは、
前記第１の論理チャネルが、前記第１のＳＲ構成に対応することと、
前記第２の論理チャネルが、前記第２のＳＲ構成に対応することと、を示す、項目１〜７のうちのいずれか一項に記載の方法。
（項目９）
前記１つ以上の第１の伝送持続時間のうちの第１の伝送持続時間が、第１の伝送時間間隔における第１のトランスポートブロックの伝送のためである、項目１〜８のうちのいずれか一項に記載の方法。
（項目１０）
前記第１の論理チャネルが、第１のサービス品質要件に対応し、前記第２の論理チャネルが、第２のサービス品質要件に対応する、項目１〜９のうちのいずれか一項に記載の方法。
（項目１１）
前記アップリンクグラントが、前記１つ以上のトランスポートブロックの前記伝送のための伝送パラメータを含む、項目１〜１０のうちのいずれか一項に記載の方法。
（項目１２）
前記１つ以上のトランスポートブロックが、前記第１の論理チャネルまたは前記第２の論理チャネルのうちの前記一方を含む１つ以上の論理チャネルからのデータを含む、項目１〜１１のうちのいずれか一項に記載の方法。
（項目１３）
前記１つ以上のメッセージは、第１のセルが前記第１の論理チャネルのための許可されたサービングセルであることを示し、
前記アップリンクグラントが、前記第１のセルを介して、前記１つ以上のトランスポートブロックの前記伝送を示す、項目１〜１２のうちのいずれか一項に記載の方法。
（項目１４）
無線デバイスであって、
１つ以上のプロセッサと、
命令を格納するメモリであって、該命令が、前記１つ以上のプロセッサによって実行されたときに、前記無線デバイスに、
基地局から、
第１の論理チャネルに対応する、前記基地局の第１のスケジューリング要求（ＳＲ）リソースであって、前記第１の論理チャネルが、第１の値に至るまで、１つ以上の第１の伝送持続時間に対応する、第１のスケジューリング要求（ＳＲ）リソースと、
第２の論理チャネルに対応する、前記基地局の第２のＳＲリソースであって、前記第２の論理チャネルが、第２の値に至るまで、１つ以上の第２の伝送持続時間に対応する、第２のＳＲリソースと、を示す、１つ以上のメッセージを受信することと、
アップリンクリソースがトリガされたバッファステータスレポート（ＢＳＲ）の伝送のために利用可能でないことに応答して、ＳＲをトリガすることであって、前記トリガされたＢＳＲは、アップリンクデータが前記第１の論理チャネルまたは前記第２の論理チャネルのうちの一方に対して利用可能になることに応答している、トリガすることと、
前記基地局に、前記ＢＳＲをトリガした論理チャネルに対応するＳＲリソースを介して前記ＳＲを伝送することであって、前記ＳＲリソースが、
前記第１の論理チャネルに対応する前記第１のＳＲリソース、または
前記第２の論理チャネルに対応する前記第２のＳＲリソース、のうちの一方である、伝送することと、
前記基地局から、前記ＳＲを前記伝送することに応答して、前記第１の論理チャネルまたは前記第２の論理チャネルのうちの前記一方に対応する伝送持続時間内に１つ以上のトランスポートブロックの伝送のためのアップリンクグラントを受信することと、を行わせる、メモリと、を備える、無線デバイス。
（項目１５）
前記命令は、実行されたときに、前記無線デバイスに、前記アップリンクグラントに応答して、前記ＢＳＲを含む前記１つ以上のトランスポートブロックをさらに伝送させる、項目１４に記載の無線デバイス。
（項目１６）
前記１つ以上のトランスポートブロックが、物理アップリンク共有チャネルを介して伝送される、項目１４または１５のうちのいずれか一項に記載の無線デバイス。
（項目１７）
前記ＳＲを前記伝送することは、前記トリガされたＢＳＲが、アップリンクデータが前記第１の論理チャネルに対して利用可能になることに応答しているときに、前記第１のＳＲリソースを介しており、
前記ＳＲを前記伝送することは、前記トリガされたＢＳＲが、アップリンクデータが前記第２の論理チャネルに対して利用可能になることに応答しているときに、前記第２のＳＲリソースを介している、項目１４〜１６のうちのいずれか一項に記載の無線デバイス。
（項目１８）
前記第１の論理チャネルおよび前記第２の論理チャネルが、同じ基地局へのデータ伝送のためである、項目１４〜１７のうちのいずれか一項に記載の無線デバイス。
（項目１９）
前記１つ以上のメッセージが、
前記第１のＳＲリソースに対応する第１のＳＲ構成のための第１のＳＲ構成インデックスと、
前記第２のＳＲリソースに対応する第２のＳＲ構成のための第２のＳＲ構成インデックスと、を示す、項目１４〜１８のうちのいずれか一項に記載の無線デバイス。
（項目２０）
前記第１のＳＲ構成が、１つ以上の第１のＳＲ禁止タイマ値と、１つ以上の第１のＳＲ伝送カウンタ値と、を示し、
前記第２のＳＲ構成が、１つ以上の第２のＳＲ禁止タイマ値と、１つ以上の第２のＳＲ伝送カウンタ値と、を示す、項目１４〜１９のうちのいずれか一項に記載の無線デバイス。
（項目２１）
前記１つ以上のメッセージは、
前記第１の論理チャネルが、前記第１のＳＲ構成に対応することと、
前記第２の論理チャネルが、前記第２のＳＲ構成に対応することと、を示す、項目１４〜２０のうちのいずれか一項に記載の無線デバイス。
（項目２２）
前記１つ以上の第１の伝送持続時間のうちの第１の伝送持続時間が、第１の伝送時間間隔において、第１のトランスポートブロックの伝送のためである、項目１４〜２１のうちのいずれか一項に記載の無線デバイス。
（項目２３）
前記第１の論理チャネルが、第１のサービス品質要件に対応し、前記第２の論理チャネルが、第２のサービス品質要件に対応する、項目１４〜２２のうちのいずれか一項に記載の無線デバイス。
（項目２４）
前記アップリンクグラントが、前記１つ以上のトランスポートブロックの前記伝送のための伝送パラメータを含む、項目１４〜２３のうちのいずれか一項に記載の無線デバイス。
（項目２５）
前記１つ以上のトランスポートブロックが、前記第１の論理チャネルまたは前記第２の論理チャネルのうちの前記一方を含む１つ以上の論理チャネルからのデータを含む、項目１４〜２４のうちのいずれか一項に記載の無線デバイス。
（項目２６）
前記１つ以上のメッセージは、第１のセルが前記第１の論理チャネルのための許可されたサービングセルであることを示し、
前記アップリンクグラントが、前記第１のセルを介して、前記１つ以上のトランスポートブロックの前記伝送を示す、項目１４〜２５のうちのいずれか一項に記載の無線デバイス。
（項目２７）
方法であって、
基地局から、無線デバイスによって、
前記基地局の、第１の論理チャネルに対応する第１のスケジューリング要求（ＳＲ）リソースと、
前記基地局の、第２の論理チャネルに対応する第２のＳＲリソースと、を示す、１つ以上のメッセージ受信することと、
アップリンクリソースがトリガされたバッファステータスレポート（ＢＳＲ）の伝送のためには利用可能でないことに応答して、ＳＲをトリガすることであって、前記トリガされたＢＳＲは、アップリンクデータが前記第１の論理チャネルまたは前記第２の論理チャネルのうちの一方に対して利用可能になることに応答している、トリガすることと、
前記基地局に、前記ＢＳＲをトリガした論理チャネルに対応するＳＲリソースを介して、前記ＳＲを伝送することであって、前記ＳＲリソースが、
前記第１の論理チャネルに対応する前記第１のＳＲリソース、または
前記第２の論理チャネルに対応する前記第２のＳＲリソース、のうちの一方である、伝送することと、
前記基地局から、前記ＳＲを前記伝送することに応答して、１つ以上のトランスポートブロックの伝送のためのアップリンクグラントを受信することと、を含む、方法。
（項目２８）
前記アップリンクグラントに応答して、前記ＢＳＲを含む前記１つ以上のトランスポートブロックを伝送することをさらに含む、項目２７に記載の方法。
（項目２９）
前記１つ以上のメッセージが、
前記第１のＳＲリソースに対応する第１のＳＲ構成のための第１のＳＲ構成インデックスと、
前記第２のＳＲリソースに対応する第２のＳＲ構成のための第２のＳＲ構成インデックスと、を示す、項目２７または２８のうちのいずれか一項に記載の方法。
（項目３０）
前記第１のＳＲ構成が、１つ以上の第１のＳＲ禁止タイマ値と、１つ以上の第１のＳＲ伝送カウンタ値と、を示し、
前記第２のＳＲ構成が、１つ以上の第２のＳＲ禁止タイマ値と、１つ以上の第２のＳＲ伝送カウンタ値と、を示す、項目２７〜２９のうちのいずれか一項に記載の方法。
（項目３１）
前記１つ以上のメッセージが、
前記第１の論理チャネルが、前記第１のＳＲ構成に対応することと、
前記第２の論理チャネルが、前記第２のＳＲ構成に対応することと、を示す、項目２７〜３０のうちのいずれか一項に記載の方法。
（項目３２）
前記第１の論理チャネルが、第１のサービス品質要件に対応し、前記第２の論理チャネルが、第２のサービス品質要件に対応する、項目２７〜３１のうちのいずれか一項に記載の方法。
（項目３３）
前記アップリンクグラントが、前記１つ以上のトランスポートブロックの前記伝送のための伝送パラメータを含む、項目２７〜３２のうちのいずれか一項に記載の方法。
（項目３４）
前記１つ以上のトランスポートブロックが、前記第１の論理チャネルまたは前記第２の論理チャネルのうちの前記一方を含む１つ以上の論理チャネルからのデータを含む、項目２７〜３３のうちのいずれか一項に記載の方法。